(57)【要約】      （修正有）【課題】イヤホンに装飾的効果を付加することができるイヤホン用アクセサリーを提供する。  【解決手段】イヤホン用アクセサリーは、支軸を介して相互に回動可能に連結され、支軸より基端側に一対の把持部を、支軸より先端側に一対の挟持部を、それぞれ有するクリップ６と、このクリップ６に取り付けられたアクセサリー７とを有し、一対の挟持部は、弾性部材により挟持されるものであり、クリップ６が一対の挟持部を介して耳穴に装着して使用するイヤホン１の接続コード導出部４に取り付けることができる。【選択図】図２
0003151027.tif 000002
【実用新案登録請求の範囲】
【請求項１】
支軸を介して相互に回動可能に連結され、前記支軸より基端側に一対の把持部を、前記支軸より先端側に一対の挟持部を、それぞれ有するクリップと、
このクリップに取り付けられたアクセサリーとを有し、
前記一対の挟持部は、弾性部材により挟持されるものであり、
前記クリップが前記一対の挟持部を介して耳穴に装着して使用する前記イヤホンの接続コード導出部に取り付けることができる
ことを特徴とするイヤホン用アクセサリー。
【請求項２】
電気音響変換素子を内蔵し、耳介の凹部に装着された状態で前記耳介の一部により支持されるように形成されたイヤホン本体と、
前記電気音響変換素子に信号を供給する接続コードと、
この接続コードを前記耳介の耳珠と対珠の間の下方に導出する接続コード導出部と、
支軸を介して相互に回動可能に連結され、前記支軸より基端側に一対の把持部を、前記支軸より先端側に一対の挟持部を、それぞれ有するクリップと、
このクリップに取り付けられたアクセサリーとを有し、
前記一対の挟持部は、弾性部材により挟持されるものであり、前記クリップが前記一対の挟持部を介して前記イヤホンの接続コード導出部に取り付けられている
ことを特徴とするイヤホン。
【請求項３】
支軸を介して相互に回動可能に連結され、前記支軸より基端側に一対の把持部を、前記支軸より先端側に一対の挟持部を、それぞれ有するクリップと、
このクリップ自体に装飾が施されて、前記クリップがアクセサリーとして利用することができるものであり、
前記一対の挟持部は、弾性部材により挟持されるものであり、
前記クリップが前記一対の挟持部を介して耳穴に装着して使用する前記イヤホンの接続コード導出部に取り付けることができる
ことを特徴とするイヤホン用アクセサリー。
【請求項４】
電気音響変換素子を内蔵し、耳介の凹部に装着された状態で前記耳介の一部により支持されるように形成されたイヤホン本体と、
前記電気音響変換素子に信号を供給する接続コードと、
この接続コードを前記耳介の耳珠と対珠の間の下方に導出する接続コード導出部と、
支軸を介して相互に回動可能に連結され、前記支軸より基端側に一対の把持部を、前記支軸より先端側に一対の挟持部を、それぞれ有するクリップとを有し、
このクリップ自体に装飾が施されて、前記クリップがアクセサリーとして利用することができるものであり、
前記一対の挟持部は、弾性部材により挟持されるものであり、
前記クリップが前記一対の挟持部を介して前記イヤホンの接続コード導出部に取り付けられている
ことを特徴とするイヤホン。
【考案の詳細な説明】
【技術分野】
【０００１】
本考案は、イヤホン用アクセサリー及びイヤホンーに係り、特に、イヤホンに装飾的効果を付加することができるイヤホン用アクセサリー及びイヤホンに関する。
【背景技術】
【０００２】
イヤホンに装飾部材を取り付けたものとして、イヤホン・ヘッドホン用アクセサリーがある（例えば、特許文献１参照）。
これは、イヤホンのライン部（接続コード）に装飾部材を取り付けるようにしたものである。
【０００３】
しかしながら、上述の「イヤホン・ヘッドホン用アクセサリー」にあっては、装飾部材をイヤホンのライン部（接続コード）に取り付けているため、ライン部（接続コード）に荷重が作用し、イヤホンのライン部（接続コード）の接続部位を損傷するという問題点があった。
【０００４】
【特許文献１】特開２００７−１４２５３８号公報
【考案の開示】
【考案が解決しようとする課題】
【０００５】
本考案は、上記問題点を除去するようにしたイヤホン用アクセサリー及びイヤホンを提供することを目的としている。
【課題を解決するための手段】
【０００６】
前記した目的を達成するための本考案のイヤホン用アクセサリーは、支軸を介して相互に回動可能に連結され、前記支軸より基端側に一対の把持部を、前記支軸より先端側に一対の挟持部を、それぞれ有するクリップと、このクリップに取り付けられたアクセサリーとを有し、前記一対の挟持部は、弾性部材により挟持されるものであり、前記クリップが前記一対の挟持部を介して耳穴に装着して使用する前記イヤホンの接続コード導出部に取り付けることができるものである。
【０００７】
また、請求項２記載のイヤホンは、電気音響変換素子を内蔵し、耳介の凹部に装着された状態で前記耳介の一部により支持されるように形成されたイヤホン本体と、前記電気音響変換素子に信号を供給する接続コードと、この接続コードを前記耳介の耳珠と対珠の間の下方に導出する接続コード導出部と、支軸を介して相互に回動可能に連結され、前記支軸より基端側に一対の把持部を、前記支軸より先端側に一対の挟持部を、それぞれ有するクリップと、このクリップに取り付けられたアクセサリーとを有し、前記一対の挟持部は、弾性部材により挟持されるものであり、前記クリップが前記一対の挟持部を介して前記イヤホンの接続コード導出部に取り付けられているものである。
【０００８】
また、請求項３記載のイヤホン用アクセサリーは、支軸を介して相互に回動可能に連結され、前記支軸より基端側に一対の把持部を、前記支軸より先端側に一対の挟持部を、それぞれ有するクリップと、このクリップ自体に装飾が施されて、前記クリップがアクセサリーとして利用することができるものであり、前記一対の挟持部は、弾性部材により挟持されるものであり、前記クリップが前記一対の挟持部を介して耳穴に装着して使用する前記イヤホンの接続コード導出部に取り付けることができるものである。
【０００９】
また、請求項４記載のイヤホンは、電気音響変換素子を内蔵し、耳介の凹部に装着された状態で前記耳介の一部により支持されるように形成されたイヤホン本体と、前記電気音響変換素子に信号を供給する接続コードと、この接続コードを前記耳介の耳珠と対珠の間の下方に導出する接続コード導出部と、支軸を介して相互に回動可能に連結され、前記支軸より基端側に一対の把持部を、前記支軸より先端側に一対の挟持部を、それぞれ有するクリップとを有し、このクリップ自体に装飾が施されて、前記クリップがアクセサリーとして利用することができるものであり、前記一対の挟持部は、弾性部材により挟持されるものであり、前記クリップが前記一対の挟持部を介して前記イヤホンの接続コード導出部に取り付けられているものである。
【考案の効果】
【００１０】
請求項１記載のイヤホン用アクセサリーによれば、イヤホンにアクセサリーを取り付けるため、イヤホンに装飾的な効果を付加することができ、また、アクセサリーを取り付けられたクリップの一対の挟持部でイヤホンの接続コード導出部を挟持するため、イヤホンの接続用コード等を傷付けることを防ぐことができる。
【００１１】
また、請求項２記載のイヤホンによれば、イヤホンにアクセサリーを取り付けるため、イヤホンに装飾的な効果を付加することができ、また、アクセサリーを取り付けられたクリップの一対の挟持部でイヤホンの接続コード導出部を挟持するため、イヤホンの接続用コード等を傷付けることを防ぐことができる。
【００１２】
また、請求項３記載のイヤホン用アクセサリーによれば、イヤホンにアクセサリーとして利用することができるクリップを取り付けるため、イヤホンに装飾的な効果を付加することができ、また、アクセサリーを取り付けられたクリップの一対の挟持部でイヤホンの接続コード導出部を挟持するため、イヤホンの接続用コード等を傷付けることを防ぐことができる。
【００１３】
また、請求項４記載のイヤホンによれば、イヤホンにアクセサリーとして利用することができるクリップを取り付けるため、イヤホンに装飾的な効果を付加することができ、また、アクセサリーとして利用することができるクリップの一対の挟持部でイヤホンの接続コード導出部を挟持するため、イヤホンの接続用コード等を傷付けることを防ぐことができる。
【考案を実施するための最良の形態】
【００１４】
本考案の一実施例のイヤホン用アクセサリー及びイヤホンを図面を参照して説明する。   
図１乃至図８において、１はイヤホン本体で、イヤホン本体１は、電気音響変換素子（図示せず）を内蔵し、耳介２の凹部（図示せず）に装着された状態で耳介２の一部により支持されるように形成されている。
また、３は、イヤホン本体１に内蔵された前記電気音響変換素子に信号を供給する接続コードである。
また、４は、接続コード３を耳介２の耳珠５と対珠１０（図２参照）の間の下方に導出する接続コード導出部である。
【００１５】
また、６はクリップで、クリップ６は、支軸６ａを介して相互に回動可能に連結され、支軸６ａより基端側（一端側）に一対の把持部６ｂを、支軸６ａより先端側（他端側）に一対の挟持部６ｃを、それぞれ有している。一対の挟持部６ｂは、弾性部材２０（例えば、バネである。）により挟持されるものである。
また、７は、クリップ６の一対の把持部６ｂに取り付けられたアクセサリーである。    そして、イヤホンの接続コード導出部４に一対の挟持部６ｃを介してクリップ６を取り付けることができるようになっている。
なお、イヤホン用アクセサリーは、クリップ６にアクセサリー７（例えば、編んだビーズ)を取り付けたもので、該イヤホン用アクセサリーは、アクセサリー７を取り付けたクリップ６を一対の挟持部６ｃを介して接続コード導出部４に取り付けることができるものである。
なお、イヤホンを使用しないときは、接続コード導出部４からクリップ６を外し、例えば、図９に示すように、イヤホンの接続コード３を複数本を結束する結束部材として利用することができるし、また、図示しないが、髪、服等に直接、取り付けるようにしても良い。
【００１６】
従って、上述したイヤホン用アクセサリー（イヤホン）によれば、イヤホンにアクセサリー７を取り付けることができるため、イヤホンに装飾的な効果を付加することができ、また、アクセサリー７を取り付けられたクリップ６の一対の挟持部６ｃでイヤホンの接続コード導出部４を挟持するため、イヤホンの接続用コード３等を傷付けることを防ぐことができる。
【００１７】
また、上述した実施例においては、クリップ６、アクセサリー７を個々に形成したが、本願考案にあってはこれに限らず、図１０及び図１１に示すように、クリップ６自体に装飾が施されて、クリッ６がアクセサリーとして利用することができるようにしても良い。例えば、クリッ６自体を、蝶の形態（一対の把持部６ｂを一対の翅に装飾した形態)に  したアクセサリーである。
この実施例のイヤホン用アクセサリー（イヤホン）においても、上述の実施例と同様、イヤホンのアクセサリーとして利用することができるクリップ６を取り付けることができるため、イヤホンに装飾的な効果を付加することができ、また、アクセサリーとして利用することができるクリップ６の一対の挟持部６ｃでイヤホンの接続コード導出部４を挟持するため、イヤホンの接続用コード３等を傷付けることを防ぐことができる。
【図面の簡単な説明】
【００１８】
【図１】図１は、本考案の一実施例のイヤホン用アクセサリーを装着したイヤホンの概略的斜視図である。
【図２】図２は、図１のイヤホン用アクセサリーを装着したイヤホンの概略的正面図である。
【図３】図３は、図１のイヤホン用アクセサリーをイヤホンに装着する前の状態を示す概略的斜視図である。
【図４】図４は、図３のイヤホン用アクセサリーをイヤホンに装着した状態を示す概略的斜視図である。
【図５】図５は、図１のイヤホン用アクセサリーの概略的斜視図である。
【図６】図６は、図４のイヤホン用アクセサリーをイヤホンに装着する前の状態を示す概略的断面図である。
【図７】図７は、図４のイヤホン用アクセサリーをイヤホンに装着する前であって、一対の挟持部が開いた状態を示す概略的断面図である。
【図８】図８は、図４のイヤホン用アクセサリーをイヤホンに装着した状態を示す概略的断面図である。
【図９】図９は、図１のイヤホン用アクセサリーを結束部材として利用した状態の概略的図である。
【図１０】図１０は、図１のイヤホン用アクセサリーと異なる他の実施例のイヤホン用アクセサリーで、該イヤホン用アクセサリーをイヤホンに装着する前の状態を示す概略的斜視図である。
【図１１】図１１は、図１０のイヤホン用アクセサリーをイヤホンに装着した状態を示す概略的斜視図である。
【符号の説明】
【００１９】
４     …接続コード導出部
６     …クリップ
６ａ   …支軸
６ｂ   …把持部
６ｃ   …挟持部
７     …アクセサリー
【図１】
0003151027.tif 000003
【図２】
0003151027.tif 000004
【図３】
0003151027.tif 000005
【図４】
0003151027.tif 000006
【図５】
0003151027.tif 000007
【図６】
0003151027.tif 000008
【図７】
0003151027.tif 000009
【図８】
0003151027.tif 000010
【図９】
0003151027.tif 000011
【図１０】
0003151027.tif 000012
【図１１】
0003151027.tif 000013